(57)【要約】【課題】  ディスク式撮像装置を高速回転中（再生中）に誤って外装ケースごと落下させた時の様な衝撃に対して、ディスクの記録面にディスク開閉蓋によって傷つける様な弊害を除去する。【解決手段】  開蓋時にディスク２と対向して配設されるディスク開閉蓋９の内面（裏側）に平面部１１５を有するガイドプレート１１０を設けて、ディスク２の突出部２ｃを該平面部１１５に当接させてディスク記録面２ｂへのディスク開閉蓋９の当接による傷付きを防止する。【選択図】        図１
2005063600.tif 000002
【特許請求の範囲】
【請求項１】
着脱自在に装着されるディスク状記録媒体を回転駆動するディスク回転手段と、
上記ディスク回転手段により回転駆動される上記ディスク状記録媒体に対して情報信号の記録及び／又は再生を行なうピックアップ手段と、
上記ディスク回転手段及び上記ピックアップ手段が収納される外装ケースと、
上記ディスク回転手段のターンテーブル上に上記ディスク状記録媒体を着脱自在とさせるために上記外装ケースの１部に設けた開口部と、
上記開口部の形状にならった形状とし、上記外装ケースに回動可能に枢着したディスク開閉蓋とを具備し、
上記外装ケースの上記ディスク回転手段のターンテーブル上に載置した上記開口部内の上記ディスク状記録媒体を覆う様に閉蓋した時に該ディスク状記録媒体の中心孔と記録面間に設けられた突部に当接する平板状のガードプレートを上記ディスク開閉蓋内に設けたことを特徴とする記録及び／又は再生装置。
【請求項２】
前記ディスク開閉蓋には上記ターンテーブル上に載置した上記ディスク状記録媒体の外径を覆う様な円盤状平面部と側面部を有し、該円盤状平面部内に該ディスク開閉蓋とは異なる耐摩擦力の高い材質から成る上記ガードプレートを配設したことを特徴とする請求項１記載の記録及び／又は再生装置。
【請求項３】
前記ディスク開閉蓋の上記平面部を上記ディスク状記録媒体の保護膜よりも対摩耗性の高い材質に選択して成ることを特徴とする請求項１又は請求項２記載の記録及び／又は再生装置。
【請求項４】
着脱自在に装着されるディスク状記録媒体を回転駆動するディスク回転手段と、
上記ディスク回転手段により回転駆動される上記ディスク状記録媒体に対して情報信号の記録及び／又は再生を行なうピックアップ手段と、
上記ディスク回転手段及び上記ピックアップ手段が収納される外装ケースと、
上記ディスク回転手段のターンテーブル上に上記ディスク状記録媒体を着脱自在とさせるために上記外装ケースの１部に設けた開口部と、
上記開口部の形状にならった形状とし、上記外装ケースに回動可能に枢着したディスク開閉蓋とを具備し、
上記外装ケースの上記ディスク回転手段のターンテーブル上に載置した上記開口部内の上記ディスク状記録媒体を覆う様に閉蓋した時に該ディスク状記録媒体に当接する緩衝部材を上記ディスク開閉蓋内に設けたことを特徴とする記録及び／又は再生装置。
【請求項５】
前記ディスク開閉蓋には上記ターンテーブル上に載置した上記ディスク状記録媒体の外径を覆う様な円盤状平面部と側面部を有し、該円盤状平面部内に前記緩衝部材を貼着したことを特徴とする請求項４記載の記録及び／又は再生装置。
【請求項６】
前記緩衝部材が発泡性ウレタンであることを特徴とする請求項４又は請求項５記載の記録及び／又は再生装置。
【発明の詳細な説明】
【技術分野】
【０００１】
本発明は、ディスク状記録媒体に対して情報信号の記録及び／又は再生が可能とされたディスク記録及び／又は再生装置に係り、特に、ディスク状記録媒体を情報記憶メディアとして使用する撮像装置の外装ケースに設けたディスク開閉蓋に用いて好適なディスク記録及び／又は再生装置に関するものである。
【背景技術】
【０００２】
従来の、ディスク状記録媒体を記憶メディアとして用いるディスク記録及び／又は再生装置としては、例えば、特許文献１に記載されているようなものがある。特許文献１は、特許出願人が先に特許出願したもので、ＤＶＤ（Digital Versatile Disc）プレーヤ等の電子機器に係り、特に、インシュレータの構造に関するものが記載されている。
【０００３】
この特許文献１に記載された電子機器は、外装体とこの外装体の内部に配される駆動機構部との間に弾性体よりなるインシュレータが組み込まれ、このインシュレータを介して駆動機構部が外装体に弾性支持される構造の電子機器であって、インシュレータは、所定方向に振動が加わったときにその弾性によって振動を吸収する振動吸収部と、この振動吸収部による振動吸収の領域を越えた振動が加わったときに外装体側に接触して変位を規制するストッパ部と、を一体に有してなる、ことを特徴としている。
【０００４】
このような構成を有する電子機器によれば、従来の如くストッパ部を別部品で作る必要がなくなるので、部品点数の削減が可能となり、これによってコストの低減及び機器の一層の小型薄型化が期待できる。
【０００５】
然しながら、上述の従来構成の電子機器によると、この電子機器を誤って外装ケースごと落下させた場合等の衝撃に対する吸収は大変困難である。近時、ＤＶＤ等のディスク状記録媒体を用いた光ディスク式撮像装置等が提案され、例えば特許文献２に開示されている。この特許文献２に披瀝されているＤＶＤ等の光ディスク状記録媒体はカートリッジ内に装着され、カートリッジを光ディスク式撮像装置内にローディングさせる様に構成しているが、例えばＤＶＤを裸のまま直接ディスク式撮像装置のディスク回転手段内のターンテーブル上に載置させる様な構成のものでは、勿論、ＤＶＤを装着する為の開閉自在と成されたディスク開閉蓋を有し、ＤＶＤを保護する構造と成されているが、この様な構造のディスク式撮像装置では外装ケースの上記ディスク開閉蓋側から誤って、再生状態で外装ケースを落下させた時にはディスク開閉蓋内面とディスク状記録媒体であるＤＶＤ（特に両面型ディスク）ではその記録面側とが当接して、ＤＶＤを傷つける等の課題があった。
【特許文献１】特開２００３−１５１２５５号公報
【特許文献２】特開２００１−１１１８７７号公報
【発明の開示】
【発明が解決しようとする課題】
【０００６】
本発明は叙上の課題を解決するために成されたもので、ディスク状記録媒体の例えば、ＤＶＤを再生状態で誤って落下させた衝撃時のディスク開閉蓋の変形及び緩衝部材を介して保持されているディスク回転手段の変位によってＤＶＤの記録面とディスク開閉蓋の内面が当接して、記録面を傷つけるのを防止可能な記録及び／又は再生装置を得ることを目的とする。
【課題を解決するための手段】
【０００７】
第１の本発明は着脱自在に装着されるディスク状記録媒体を回転駆動するディスク回転手段と、このディスク回転手段により回転駆動される上記ディスク状記録媒体に対して情報信号の記録及び／又は再生を行なうピックアップ手段と、このディスク回転手段及びピックアップ手段が収納される外装ケースと、ディスク回転手段のターンテーブル上にディスク状記録媒体を着脱自在とさせるために外装ケースの１部に設けた開口部と、この開口部の形状にならった形状とし、外装ケースに回動可能に枢着したディスク開閉蓋とを具備し、外装ケースのディスク回転手段のターンテーブル上に載置した開口部内のディスク状記録媒体を覆う様に閉蓋した時にディスク状記録媒体の中心孔と記録面間に設けられた突部に当接する平板部を上記ディスク開閉蓋内に設けたことを特徴とする記録及び／又は再生装置としたものである。
【０００８】
第２の本発明は着脱自在に装着されるディスク状記録媒体を回転駆動するディスク回転手段と、このディスク回転手段により回転駆動されるディスク状記録媒体に対して情報信号の記録及び／又は再生を行なうピックアップ手段と、ディスク回転手段及びピックアップ手段が収納される外装ケースと、ディスク回転手段のターンテーブル上にディスク状記録媒体を着脱自在とさせるために外装ケースの１部に設けた開口部と、開口部の形状にならった形状とし、外装ケースに回動可能に枢着したディスク開閉蓋とを具備し、外装ケースのディスク回転手段のターンテーブル上に載置した開口部内のディスク状記録媒体を覆う様に閉蓋した時にディスク状記録媒体に当接する緩衝部材をディスク開閉蓋内に設けたことを特徴とする記録及び／又は再生装置としたものである。
【０００９】
斯かる、本発明の記録及び／又は再生装置に依れば、外装ケースを誤って落下させた場合でも再生中のディスク状記録媒体の記録面に傷をつけることのないものが得られる。
【発明を実施するための最良の形態】
【００１０】
本発明のディスク状記録及び／又は再生装置に依れば、再生中に誤って外装ケースを落下させ、ディスク回転手段のターンテーブルからディスク状記録媒体が外れてディスク開閉蓋の内面に当たって記録面を傷つけることを除くために、該ディスク記録媒体の記録面と中心孔間に形成されている突出面をディスク開閉蓋内の平坦な平面部に当てる様にして記録面に傷が付くのを防ぐ様に成し、又、発泡性ウレタン等の緩衝部材をディスク開閉蓋内面に貼着させる様にして緩衝を緩和させているので簡単な構造により、ディスク状記録媒体の記録面に傷の付かない記録及び／又は再生装置が得られる。
【実施例１】
【００１１】
図１〜図１０は、本発明の実施の形態を示すものである。即ち、図１〜図４は本発明のディスク記録及び／又は再生装置の一実施例を示す撮像装置の図、図５は撮像装置の中央縦断面図、図６はディスク回転部分の１部を断面とする平面図、図７は本発明のディスク開閉蓋へのガードプレート装着方法を示す組立斜視図、図８は図７のディスク開閉蓋近傍の要部断面図である。
【００１２】
図１等に示す撮像装置１は、ディスク記録及び／又は再生装置の一形態例を示すもので、情報記憶メディアであるディスク状記録媒体の一具体例としてＤＶＤを使用し、光学的な画像をＣＣＤ（固体撮像素子）で電気的な信号に変換してＤＶＤに記録したり液晶モニタ等の表示装置に表示できるようにしたもの（「ディスク式撮像装置」という。）である。しかしながら、本発明のディスク状記録媒体としてはＤＶＤに限定されるものではなく、ＣＤ−ＲＯＭその他の記録可能な光学ディスクを用いることができることは勿論のこと、例えば光磁気ディスク、特に高画質、高密度用の例えばブルーレーザを用いＤＶＤの様な磁気ディスク等のように他の記録方式のディスク状記録媒体も適用可能である。
【００１３】
このディスク式撮像装置１は、図１〜図６に示すように、着脱自在に装着されるＤＶＤ２を回転駆動して画像等の情報信号の記録（書き込み）及び再生（読み出し）を行うディスクドライブ装置３と、このディスクドライブ装置３の駆動制御等を行う制御回路が設けられたプリント基板４（４Ａ，４Ｂ及び４Ｃ、図５参照）と、被写体の像を光として取り込んでＣＣＤに導くレンズ装置６と、これらディスクドライブ装置３等が収納される外装ケース７と、この外装ケース７に回動自在に取り付けられてディスク収納室８を開閉可能に覆うことができるディスク開閉蓋９と、外装ケース７の内部を２つの室に仕切る仕切り壁１０（図５参照）等で構成されている。
【００１４】
外装ケース７は、ディスクドライブ装置３等を両側から挟むように組み合わされるディスク側パネル１２及び基板側パネル１３と、レンズ装置６の光軸方向の前後に配置されて両パネル１２，１３と組み合わされるフロントパネル１４及びリアパネル１５とからなり、これらによって中空の筐体が構成されている。レンズ装置６は外装ケース７の上部に固定されていて、その対物レンズ１６がフロントパネル１４の上部を前方に貫通して前面に露出されている。外装ケース７の内部において、レンズ装置６の後方にＣＣＤが配置されており、そのＣＣＤの後方にビューファインダ１７が配置されている。
【００１５】
ビューファインダ１７は外装ケース７の上部に露出されていて、前側を回動中心として後部を上下方向へ回動可能に構成されている。これによりビューファインダ１７は、レンズ装置６の光軸と平行をなす水平状態から、後部を上方へ持ち上げた上向き状態まで所定角度範囲内で任意角度に角度調節可能とされている。更に、外装ケース７の上部には、ビデオライトや外付けマイクロホン等が着脱自在に装着されるアクセサリーシュー１８がビューファインダ１７の前側に取り付けられている。そして、フロントパネル１４のレンズ装置６の下側にはステレオ方式のマイクロホン２０が内蔵されている。
【００１６】
図２及び図４に示すように、外装ケース７のリアパネル１５の略中央部には、電源バッテリー２１が着脱自在に装着されるバッテリー収納部２２が設けられている。バッテリー収納部２２は外装ケース７の上面及び背面に開口されていて、電源バッテリー２１は後方斜め上方から差し込み及び取り出し可能とされている。更に、リアパネル１５には、吊り下げ用ストラップのための２個の取付金具２５が設けられている。
【００１７】
図３及び図４に示すように、外装ケース７の基板側パネル１３には、表示装置２７が姿勢変更可能に取り付けられている。表示装置２７は、平板状の液晶モニタ２８と、この液晶モニタ２８が収納されたパネルケース２９と、このパネルケース２９を外装ケース７に対して姿勢変更可能に支持するパネル支持機構３０とから構成されている。
【００１８】
パネル支持機構３０は、垂直軸を回動中心としてパネルケース２９を水平方向に略９０度回動可能とした水平回動機能と、水平軸を回動中心としてパネルケース２９を前後方向に略１８０度回動可能とした前後回動機能とを有している。これにより表示装置２７は、図３に示す収納状態と、図４に示すパネルケース２９を９０度回動させて液晶モニタ２８を後方へ対向させた状態と、図４の状態からパネルケース２９を１８０度回動させて液晶モニタ２８を前方へ対向させた状態とを選択的に取ることができる。
【００１９】
更に、基板側パネル１３には、パネルケース２９によって開閉自在に覆われる多数の操作ボタンからなる内側操作部３２と、パネルケース２９の上方に配された多数の操作ボタンからなる外側上操作部３３と、パネルケース２９の前方に配された複数の操作ボタンや操作ダイヤルからなる外側前操作部等が設けられている。図３等に示す符号３５は、パネルケース２９を閉じ状態でロックするパネルロック機構である。
【００２０】
図１に示すように、外装ケース７のディスク側パネル１２には、ディスクドライブ装置３の一部を露出させるための開口部からなるディスク収納室８が設けられている。このディスク収納室８の略中央部にはディスクドライブ装置３のディスク回転装置が配置され、ディスクドライブ装置３は外装ケース７に支持されている。このディスク収納室８はディスク開閉蓋９によって開閉可能に覆われている。
【００２１】
ディスク開閉蓋９は、ディスク収納室８の形状に見合う形状とされていて、ディスク収納室８の平面側を覆う平面部９ａと、この平面部９ａの一部に連続してディスク収納室８の側面切欠き部を覆う側面部９ｂを有している。更に、ディスク開閉蓋９の下端両側部には一対の軸受部９ｃ，９ｃが設けられており、これらの軸受部９ｃ，９ｃには支持軸３８が回動自在に挿通されている。支持軸３８の両端は各軸受部９ｃ，９ｃから外側に突出されていて、それらの突出端がディスク側パネル１２に固定されている。これによりディスク開閉蓋９が、支持軸３８を介してディスク側パネル１２に回動自在に支持されている。
【００２２】
また、支持軸３８には捩りバネ３９が装着されており、捩りバネ３９の一端のバネ片はディスク開閉蓋９に係止され、他端のバネ片はディスク側パネル１２に係止されている。これによりディスク開閉蓋９は、捩りバネ３９のバネ力によってディスク収納室８を開放する方向に常時付勢されている。更に、ディスク開閉蓋９とディスク側パネル１２との間には、ディスク開閉蓋９の開放量を制限するリンク機構４０が掛け渡されている。リンク機構４０は、ディスク開閉蓋９に回動自在に支持された蓋側リンク４１と、ディスク側パネル１２に回動自在に支持されたパネル側リンク４２とからなり、両リンク４１，４２の先端部は互いに回動自在に連結されている。
【００２３】
ディスク開閉蓋９は、支持軸３８から最も離れた部分に配設された蓋ロック装置４４により、ディスク収納室８を閉じた状態においてロック可能に構成されている。この蓋ロック装置４４は、ディスク開閉蓋９に固定された図に表れないロック部材と、ディスク側パネル１２に摺動可能に取り付けられた操作部材５１及びスライド部材等を備えて構成されている。ロック部材にはロック爪が設けられている一方、スライド部材にはロック爪に係合可能な爪ストッパが設けられている。スライド部材の爪ストッパは、バネ部材のバネ力によってロック爪の移動軌跡上に配置されている。
【００２４】
かくして、ディスク開閉蓋９をディスク側パネル１２側に押し付けることにより、爪ストッパに係合されるロック爪がバネ部材のバネ力に抗してスライド部材を後退させる。その結果、爪ストッパがロック爪を乗り越え、爪ストッパとロック爪が互いに係合される。これにより、ディスク収納室８がディスク開閉蓋９によって閉じられ、ディスク開閉蓋９がディスク側パネル１２にロックされる。このロックの解除は、バネ部材のバネ力に抗して操作部材５１をロック解除方向へスライド動作させることによって行うことができる。
【００２５】
また、ディスク側パネル１２には、ディスク開閉蓋９を囲うようにハンドストラップ６０が取り付けられている。ハンドストラップ６０は、外装ケース７の把持部とされたディスク開閉蓋９部分を把持するユーザーの手の部分を支えて、ディスク式撮像装置１の取り落とし等を防止するものである。
【００２６】
このハンドストラップ６０は、両端がディスク側パネル１２に固定された支持ベルト６１と、この支持ベルト６１に装着されてユーザーの手の甲部分に当接される保護パット６２から構成されている。支持ベルト６１の一端はディスク側パネル１２の前側下部に固定された取付金具６３に固定され、他端はディスク側パネル１２の後側中途部に設けた貫通穴から内側に挿入されて、その内部に設けられた取付金具に固定されている。
【００２７】
図２及び図４等に示すように、ディスク側パネル１２の後側中途部には、電源スイッチ６４と録画ボタン６５とモード切換ダイヤル６６が配置されている。そして、ディスク側パネル１２の後側上部には、シャッタボタン６７とズームレバー６８が配置されている。ディスク側パネル１２のズームレバー６８と操作部材５１の間には凹部１２ａが設定されていて、この凹部１２ａ側に開口する排出口７０が設けられている。排出口７０はダクトの一方の開口をなすものである。この排出口７０に対応してディスク側パネル１２の下部には、ダクトの他方の開口をなす吸入口７１（図５参照）が設けられている。
【００２８】
このような構成を有する外装ケース７の材料としては、例えば、ＡＢＳ（アクリロニトリル・ブタジエン・スチレン樹脂）が好適であるが、その他のエンジニアリングプラスチックを適用できることは勿論のこと、合成樹脂以外のアルミニウム合金等の金属を用いることもできる。
【００２９】
図５に示すように、上述した外装ケース７の内部は仕切り壁１０によって左右方向（レンズ装置６の光軸と交差する方向）に仕切られて、ディスクドライブ装置３側の第１の室７２とプリント基板４（４Ａ，４Ｂ，４Ｃ）側の第２の室７３が設けられている。仕切り壁１０は、板状の部材で形成されていて、外装ケース７の内部にネジ等の固着手段によって締付固定されている。この仕切り壁１０はフレームの役割をなすもので、一面側にはディスクドライブ装置３を支持するための支持突起７４が複数個（本実施例では４個）設けられ、他面側にはプリント基板４Ａ等を支持するための支持片７５が多数個設けられている。
【００３０】
更に、仕切り壁１０には、重量を軽くするための開口部や切欠きが複数箇所に設けられている。仕切り壁１０の材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。尚、開口部及び切欠きの大部分は、第１の室７２と第２の室７３間を仕切って熱が伝わり難い構造とするため、断熱部材で形成された絶縁板１１によって塞がれている。
【００３１】
即ち、仕切り壁１０の一面には、図５において格子模様の仕切り壁１０の略全体を覆うように所定の形状及び構造を有する絶縁板１１が重ね合わされて一体的に構成されている。更に、第１の室７２に配置されるディスクドライブ装置３と第２の室７３に配置されるプリント基板４を電気的に接続するため絶縁板１１には、フレキシブル配線板が挿通される連通穴が設けられている。
【００３２】
絶縁板１１を仕切り壁１０に固定する手段としては、例えば、固定ネジを複数個使用してネジ止めする方法が好適であるが、その他にも接着剤による接合、ビス止めによる固定等のように各種の固着手段を用いることができる。絶縁板１１の材料としては、例えば、軽くて断熱性に優れたＡＢＳが好適であるが、他のエンジニアリングプラスチックを適用できることは勿論のこと、セラミックやニューセラミック等を用いることもできる。
【００３３】
図５に示すように、仕切り壁１０の絶縁板１１が重ね合わされた面には、弾性体からなるインシュレータ７７を介してディスクドライブ装置３が弾性的に支持されている。インシュレータ７７は、円筒状に形成されたゴム状弾性体からなり、その外周面の軸方向中途部には周方向に連続する環状溝７７ａが設けられている。更に、インシュレータ７７の筒軸方向の両面には、インシュレータ７７の変位を規制すると共に筒軸方向の振動を吸収する支持突起が設けられている。
【００３４】
このインシュレータ７７の所定個数（本実施例では４個）が、ディスクドライブ装置３の導体からなるメカシャーシ８０のインシュレータ受け部８０ａに設けた切欠き穴に、それぞれ環状溝７７ａを嵌合させることによって装着されている。そして、これら４個のインシュレータ７７が、仕切り壁１０の一面に突設された４個の支持ピン７４ａにそれぞれ嵌合されている。各支持ピン７４ａは、インシュレータ７７と同程度の直径を有する支持部と、この支持部の中央部に突出された突起部とからなり、仕切り壁１０にそれぞれカシメ等の固着手段により固定されている。
【００３５】
この支持ピン７４ａの突起部にインシュレータ７７の中央穴を嵌合することにより、４個のインシュレータ７７が支持ピン７４ａにそれぞれ装着されている。そして、各支持ピン７４ａの突起部先端に螺合される取付ネジ７８により、それぞれのインシュレータ７７の脱落が防止されている。このようなインシュレータ７７を介して仕切り壁１０に弾性支持されたメカシャーシ８０は、十分に大きな強度を有する枠状の部材によって構成されている。
【００３６】
また、仕切り壁１０とメカシャーシ８０とは、電気の伝導性に優れたアース部材によって互いに導通されている。
【００３７】
このアース部材を介してメカシャーシ８０が仕切り壁１０に電気的に導通され、外装ケース７のグランド部にアースされている。特に、アース部材の両端の固定部は共にビス止めによって固定されているため、確実にアースを取ることが可能である。アース部材の材料としては、例えば、銅合金が好ましいが、他の金属を用いることもできる。
【００３８】
また、メカシャーシ８０には、図５及び図６に示すように、ＤＶＤ２が着脱自在に装着されるディスク回転装置８２と、ピックアップ装置の一具体例を示す光学ピックアップ装置８６が搭載されている。ディスク回転装置８２は、メカシャーシ８０に固定されたスピンドルモータ８３と、このスピンドルモータ８３の回転部に固定されたターンテーブル８４から構成されている。
【００３９】
ターンテーブル８４は、ＤＶＤ２のセンタ穴２ａが嵌合される嵌合部８４ａと、センタ穴２ａの周縁部が載置される載置部８４ｂとからなっている。更に、嵌合部８４ａには、ＤＶＤ２のセンタ穴２ａの周縁部に係合してＤＶＤ２を保持する複数個の係合爪８５ａが周方向に等間隔あけて設けられている。各係合爪８５ａはスプリング８５ｂによって半径方向外側へ付勢されており、このスプリング８５ｂのバネ力に抗して係合爪８５ａを後退させることにより、嵌合部８４ａに対するＤＶＤ２の装着動作及び離脱動作が可能となる。尚、載置部８４ｂの面は、メカシャーシ８０やディスク開閉蓋９の面と平行に設定されている。
【００４０】
また、光学ピックアップ装置８６は、ＤＶＤ２の情報記録面に対向されるピックアップレンズ８７を有する二軸アクチュエータ８８と、この二軸アクチュエータ８８が搭載されたスライド部材８９等を備えて構成されている。スライド部材８９は、図６に表れない２本のガイド軸にガイドされて移動可能とされている。２本のガイド軸は、スピンドルモータ８３を挟んで互いに平行とされており、一方のガイド軸の近傍にピックアップ移動装置９０が設けられている。
【００４１】
図６に示すように、ピックアップ移動装置９０は、スライド部材８９に固定された図示しない送りナットに係合される送りネジ軸９１と、この送りネジ軸９１を回転軸とした送りモータ９２とから構成されている。送りネジ軸９１は、光学ピックアップ装置８６のガイド軸と平行に設定されて、メカシャーシ８０に回転自在に支持されている。かくして、送りモータ９２を回転駆動することにより、送りネジ軸９１の回転方向に応じて光学ピックアップ装置８６がターンテーブル８４に近づく方向とターンテーブル８４から離れる方向とに選択的に移動される。
【００４２】
メカシャーシ８０とディスク回転装置８２と光学ピックアップ装置８６とピックアップ移動装置９０とによってディスクドライブ装置３が構成されている。このディスクドライブ装置３の上面は、ターンテーブル８４と光学ピックアップ装置８６のための所定領域と送りモータ９２の部分を除く大部分が防護カバー９３によって覆われている。
【００４３】
このような構成を有するディスクドライブ装置３を、図５に示すように外装ケース７内の所定位置に仕切り壁１０を取り付けることにより、外装ケース７内を左右方向に仕切る仕切り壁１０を介して第１の室７２内の所定位置に位置決めされている。このとき、ディスクドライブ装置３のターンテーブル８４とその周辺部分がディスク側パネル１２のディスク収納室８に臨まれ、ディスク開閉蓋９に対向されている。そして、図５に示すように、ディスクドライブ装置３と仕切り壁１０又は絶縁板１１との間には、空気層からなる断熱隙間１００Ａが設定されていて、仕切り壁１０からの熱がディスクドライブ装置３に伝わり難い構造とされている。
【００４４】
また、図５に示すように、外装ケース７の第２の室７３内には、複数枚のプリント基板４（図５には３枚のプリント基板４Ａ，４Ｂ，４Ｃを示している。）が配設されている。３枚のプリント基板４Ａ，４Ｂ，４Ｃは互いに適当な隙間をあけて層状に配置されており、隣り合うプリント基板間、及びプリント基板と仕切り壁１０又は基板側パネル１３との間には空気層からなる断熱隙間１００Ｂ，１００Ｃ，１００Ｄ及び１００Ｅが設定されている。
【００４５】
例えば、第１のプリント基板４Ａは、仕切り壁１０に立設された複数の支持片７５の先端に取付ネジ９９ａによって締付固定されており、これにより仕切り壁１０との間に断熱隙間１００Ｂが設定されている。第２のプリント基板４Ｂは、基板側パネル１３の内面に固定された複数のブラケット１０１に取付ネジ９９ｂによって締付固定されていて、これにより第１のプリント基板４Ａとの間に断熱隙間１００Ｃが設定されている。
【００４６】
更に、第３のプリント基板４Ｃは、基板側パネル１３に設けられた支持突起１３ａに取付ネジ９９ｃによって締付固定されている。これにより、第３のプリント基板４Ｃと第２のプリント基板４Ｂとの間には断熱隙間１００Ｄが設定され、第３のプリント基板４Ｃと基板側パネル１３との間には断熱隙間１００Ｅが設定されている。
【００４７】
上述の如きディスク撮像装置１を再生中に誤って、例えば、ディスク開閉蓋９側を下面として落下させた時に、ディスクドライブ装置３及び光学ピックアップ装置８６を支持するインシュレータ７７の変形による撓み及びディスク開閉蓋９の撓みによって、ディスク開閉蓋９の内面に形成したディスク開閉蓋９の平面部９ａの補強リブ９ｅ（図７参照）によって、裸の二層の貼り合わせ型ＤＶＤ２の記録面が擦れて、傷を発生した、特に高密度化を図ってブルーレーザダイオード等の短波長レーザを用いてピックアップを行なう様なＤＶＤではピット長やピット間隔が狭く、保護膜が薄いなどのため特に小さな傷でも問題を生ずる、特に落下時の衝撃によってＤＶＤ２がターンテーブル８４の係合爪８５ａから外れた時にはＤＶＤ２の記録面に与えるダメージが大きくなる。
【００４８】
この様な問題を解消するために、ディスク開閉蓋９の内面に設けた補強リブ９ｅを覆う様に略円盤状のガードプレート１１０を装着させる。
【００４９】
このガードプレート１１０は図７及びディスク開閉蓋９の要部側断面図の図８（ａ），（ｂ）に示すように、略円盤状の熱可塑性プラスチックより成るポリプロピレン（ＰＰ）の様なディスク開閉蓋９に用いているＡＢＳ等の熱可塑性プラスチックより耐摩耗性の大きい熱可塑性プラスチックを選択し、その形状は中心部にディスク開閉蓋９の補強リブ９ｅに設けた窪み部９ｄと嵌まり合う盤状の突出部１１１を有し、この突出部１１１には窪み部１１２が形成されている。
【００５０】
円盤状のガードプレート１１０の外径周辺に穿った透孔１１３内に平面部９ａに立設した溶着ピン１１４を挿入して溶着し、ガードプレート１１０とディスク開閉蓋９の内部が一体化される。
【００５１】
本例のガードプレート１１０の窪み部１１２の内径φ１（２９φ）はターンテーブル８４に嵌着されるＤＶＤ２のセンタ穴２ａ（１２φ）と記録面２ｂの領域間に設けられたリング状の突出部２ｃの内径φ２（３３．５φ）より小径に選択することでＤＶＤ２の突出部２ｃ（凸巾０．５ｍｍ、高さ？ｍｍ）がガードプレート１１０の円盤の平面部１１５に外装ケース７に衝撃が与えられた時に当接する様に成されている。
【００５２】
上述の如く構成させたガードプレート１１０による動作を図８（ａ），（ｂ）で説明する。
【００５３】
図８（ｂ）は外装ケース７を再生時に誤って落下させた時にＤＶＤ２がターンテーブル８４の係合爪８５ａから離脱した状態を示す。２点鎖線で示す状態がＤＶＤ２が係合爪８５ａに係止された状態を示している。落下時の衝撃によってディスクドライブ装置３は図５で詳記した仕切り壁１０上にインシュレータ７７を介して係止されたメカシャーシ８０上のスピンドルモータ８３を含むターンテーブル８４は左右前後上下方向に撓み、一方、ディスク開閉蓋９を下側にして落下させたとすると、ディスク開閉蓋９は図８（ｂ）で矢印Ｄ方向に撓み、ＤＶＤ２の記録面２ｂとガードプレート１１０の平面部１１５とは互に接近する方向に変位する傾向を生ずる。しかし、この時、ＤＶＤ２の突出部２ｃの先端がガードプレート１１０の平面部１１５に当接するためＤＶＤ２の記録面２ｂへの衝撃力が小さくなって記録面領域に傷を付ける様な弊害は図８（ａ）に示す様に避けることができる。
【００５４】
又、図８（ｂ）に示す様にＤＶＤ２のセンタ穴２ａ近傍の撓みδも小さくすることができる。
【００５５】
上述では衝撃が与えられたときに、ＤＶＤ２が係合爪８５ａから外れた場合について説明したがＤＶＤ２がターンテーブル８４に載置されて係合爪８５ａでＤＶＤ２が係止されている状態の方がより確実に平面部１１５でＤＶＤ２の突出部２ｃの頂部面で受けることができる。
【００５６】
又、ガードプレート１１０の中心に形成した窪み部１１２を略直角に落ち込む形状として図８（ｂ）の様に窪み部１１２内でＤＶＤ２のセンタ穴２ａ近傍の撓みδを吸収する様にしたが、この窪み部１１２を図８（ｂ）のＡ部拡大断面図に示す様に窪み部１１２をすり鉢状と成す。このように構成するとＤＶＤ２のセンタ穴２ａから突出したターンテーブル８４が中心線１１６から偏位しても窪み部１１２内に広い範囲で嵌め合わすことができる。
【実施例２】
【００５７】
次に、図９及び図１０（ａ），（ｂ）によって他の実施例を説明する。尚、図７及び図８（ａ），（ｂ），（ｃ）との対応部分には同一符号を付して重複説明を省略する。
【００５８】
図９はディスク開閉蓋を開蓋した状態のディスク式撮像装置の斜視図、図１０（ａ）は閉蓋状態でのＤＶＤ２の中心部での要部側断面図であり、本例ではリング状の補強リブ９ｅの高さｈより充分に高い厚みのある（１．７ｍｍ〜２ｍｍ程度）の発泡性ポリウレタン等から成る図１０（ｂ）に示す様なリング状の緩衝部材１２０をディスク開閉蓋９の内側の外径部近傍に貼着させたものである。この緩衝部材１２０は図１０（ｂ）の一部を断面とする斜視図に示す様に、リング状の発泡性ポリウレタンリング１２１（ｔ＝１．５ｍｍ）の下面にポリエチレンテレフタレート（ＰＥＴ）等のプラスチック材（ｔ＝０．２ｍｍ）の両面に接着剤を塗布した接合用リング１２２をディスク開閉蓋９の内側に貼着させたものである。
【００５９】
又、この様な緩衝部材１２０は図７及び図８（ａ），（ｂ）で詳記したガードプレート１１０の外周近傍に貼着させる様にしてもよい。
【００６０】
上述の図９及び図１０（ａ），（ｂ）に示した構成に於いても、振動衝撃で高速回転中のＤＶＤ２がディスクドライブ装置３の嵌合部８４ａから外れても、ディスク開閉蓋９の内面（裏面）と当接して特に表面硬度の低い両面記録可能なディスクに於いても、その表面は緩衝部材のクッション性で緩衝され、記録面２ｂに傷を付けることを防止できる。
【産業上の利用可能性】
【００６１】
本発明は、前述しかつ図面に示した形態例及び実施例に限定されるものではなく、その要旨を逸脱しない範囲内で種々の変形実施が可能である。例えば、前記実施例では、ＤＶＤを記録媒体として用いたディスク式撮像装置に適用した例について説明したが、光磁気ディスクや磁気ディスク等の他の記録方式のディスク状記録媒体を用いることができる。更に、本発明はディスク式撮像装置以外の電子機器、例えば、電子スチルカメラ、カメラ機能付きパーソナルコンピュータその他各種の電子機器に適用可能である。
【００６２】
また、前記実施例では、ディスク記録及び／又は再生装置として再生のみならず、記録も可能な装置に適用した例について説明したが、再生専用のディスク再生装置や、記録専用のディスク記録装置に適用できることは勿論である。
【図面の簡単な説明】
【００６３】
【図１】本発明のディスク記録及び／又は再生装置の一形態例に係るディスク式撮像装置を示すもので、ディスク開閉蓋を開いた状態の斜視図である。
【図２】図１に示すディスク式撮像装置のディスク開閉蓋側を背面側から見た斜視図である。
【図３】図１に示すディスク式撮像装置の表示装置側を正面側から見た斜視図である。
【図４】図１に示すディスク式撮像装置の表示装置を開いて背面側から見た斜視図である。
【図５】図１に示すディスク式撮像装置を、前後方向中途部で断面した説明図である。
【図６】図５に示すディスク式撮像装置に係る仕切り壁とディスクドライブ装置との組立状態の平面図である。
【図７】本発明のディスク記録及び／又は再生装置の一実施例に係るディスク式撮像装置を示すガードプレート組立状態説明用の斜視図である。
【図８】図７のディスク開閉蓋を閉蓋した状態でのガードプレートの取付状態を説明する要部の断面図である。
【図９】本発明のディスク記録及び／又は再生装置の他の実施例に係るディスク式撮像装置を示すディスク開閉蓋の開蓋状態斜視図である。
【図１０】図９のディスク開閉蓋を閉蓋した状態での緩衝部材の取付状態を説明する要部の断面図及び緩衝部材の一部を断面とする斜視図である。
【符号の説明】
【００６４】
１…ディスク撮像装置（ディスク記録及び／又は再生装置）、２…ＤＶＤ（ディスク状記録媒体）、３…ディスクドライブ装置、４Ａ，４Ｂ，４Ｃ…プリント基板、６…レンズ装置、７…外装ケース、８…ディスク収納室、９…ディスク開閉蓋、９ｅ…補強リブ、１０…仕切り壁、１２…ディスク側パネル、１３…基板側パネル、２７…表示装置、２８…液晶モニタ、３５…パネルロック機構、５０…蓋ロック装置、７２…第１の室、７３…第２の室、８０…メカシャーシ、８２…ディスク回転装置、８４…ターンテーブル、８６…光学ピックアップ装置（ピックアップ装置）、９０…ピックアップ移動装置、１００Ａ，１００Ｂ，１００Ｃ，１００Ｄ，１００Ｅ…断熱隙間、１１０…ガードプレート、１１１…突出部、１１２…窪み部、１１５…平面部、１２０…緩衝部材、１２１…発泡性ポリウレタンリング、１２２…接合用リング
【図１】
2005063600.tif 000003
【図２】
2005063600.tif 000004
【図３】
2005063600.tif 000005
【図４】
2005063600.tif 000006
【図５】
2005063600.tif 000007
【図６】
2005063600.tif 000008
【図７】
2005063600.tif 000009
【図８】
2005063600.tif 000010
【図９】
2005063600.tif 000011
【図１０】
2005063600.tif 000012